(57)【要約】【課題】商品を前側へ簡単に移動させることができ、且つ移動させた商品を立てた状態で陳列できる陳列具を提供する。【解決手段】傾斜板に沿って複数の商品が陳列される陳列具１であって、前端側から後端側に向けて上方に傾斜する第１傾斜板１１を有する第１陳列部１０と、第１陳列部１０の上に載せられ、前端側から後端側に向けて上方に傾斜する第２傾斜板２１を有する第２陳列部２０と、第１陳列部１０及び第２陳列部２０からなる陳列用連結体２が収納され、上部が開口した筐体３０と、を備え、第２陳列部２０は、第１陳列部１０の上の少なくとも一部の範囲を前後方向に移動自在に構成される。【選択図】図１
2020054453.tif 000002
【特許請求の範囲】
【請求項１】
傾斜板に沿って複数の商品が陳列される陳列具であって、
前端側から後端側に向けて上方に傾斜する第１傾斜板を有する第１陳列部と、
前記第１陳列部の上に載せられ、前端側から後端側に向けて上方に傾斜する第２傾斜板を有する第２陳列部と、
前記第１陳列部及び前記第２陳列部からなる陳列用連結体が収納され、上部が開口した筐体と、を備え、
前記第２陳列部は、前記第１陳列部の上の少なくとも一部の範囲を前後方向に移動自在な陳列具。
【請求項２】
請求項１に記載の陳列具であって、
前記第２陳列部は、前記第１傾斜板よりも前端側から後端側に向けて傾斜角が大きくなる、
陳列具。
【請求項３】
請求項１又は請求項２に記載の陳列具であって、
前記第２陳列部は、前記第１陳列部の前後方向に水平に移動自在となるように前記第１陳列部の下端部と係合する係合部を有する、
陳列具。
【請求項４】
請求項３に記載の陳列具であって、
前記第２陳列部は、前記第２傾斜板から前端側に延出した可動片を有し、
前記可動片は、前記第２陳列部が前記第１陳列部の上を移動した際に、前記第１傾斜板に対して変形する、
陳列具。
【請求項５】
請求項１から請求項４までのいずれか一項に記載の陳列具であって、
前記筐体には、側面に前端側から後端側に向かう方向に沿って案内溝が設けられ、
前記第２陳列部の側面には、前記案内溝と係合し、且つ前記案内溝に沿って移動自在な移動片が設けられる、
陳列具。
【請求項６】
請求項５に記載の陳列具であって、
前記案内溝は、前記移動片の移動を規制する移動規制部を有する、
陳列具。
【請求項７】
請求項１から請求項６までのいずれか一項に記載の陳列具であって、
前記筐体は、陳列された商品が前端から更に外側に移動することを規制する前面板を有する、
陳列具。
【請求項８】
請求項１から請求項７までのいずれか一項に記載の陳列具であって、
前記筐体は、前記陳列用連結体を、幅方向に沿って複数列備える、
陳列具。
【請求項９】
請求項１から請求項７までのいずれか一項に記載の陳列具であって、
前記筐体は、前記陳列用連結体を、幅方向に沿って１又は複数列備え、且つ上下方向に沿って複数段備える、
陳列具。
【発明の詳細な説明】
【技術分野】
【０００１】
本発明は、商品の陳列具に関する。
【背景技術】
【０００２】
従来、商品の陳列具として、基板上に背板を介して傾斜した支持板が設けられた陳列具が提案されている。この種の陳列具は、商品を立てた状態で陳列できるため、消費者が商品を取り出しやすく、また商品の訴求面に印刷された商品情報を視認しやすいという特徴がある（例えば、特許文献１参照）。
【先行技術文献】
【特許文献】
【０００３】
【特許文献１】実開平３−３５７６５号公報
【発明の概要】
【発明が解決しようとする課題】
【０００４】
上記のような傾斜した支持板が設けられた陳列具では、消費者が商品を前側から取り出すと、後側の商品が支持板を滑り下りて前側に移動する。しかし、商品数が少なくなると、後側にある商品が自重で後ろ向きに倒れてしまい、前側に滑り下りて来ないこともある。その場合、販売員が一つ一つの商品を手作業で前側に移動させる必要があるため、手間と時間がかかる。また、商品を前側に移動させても、商品数が少ないと、傾斜した支持板の上で商品を立てた状態で陳列することが難しく、特に後方にある商品は倒れてしまいやすい。商品が後ろ向きに倒れると、商品の存在が分かりにくくなるだけでなく、商品の訴求面に印刷された商品情報の視認性が低下する。
【０００５】
本発明の目的は、商品を前側へ簡単に移動させることができ、且つ移動させた商品を立てた状態で陳列できる陳列具を提供することにある。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜に改良してもよく、また、少なくとも一部を他の構成物に代替してもよい。
【０００７】
第１の発明は、傾斜板に沿って複数の商品が陳列される陳列具であって、前端側から後端側に向けて上方に傾斜する第１傾斜板（１１）を有する第１陳列部（１０）と、前記第１陳列部の上に載せられ、前端側から後端側に向けて上方に傾斜する第２傾斜板（２１）を有する第２陳列部（２０）と、前記第１陳列部及び前記第２陳列部からなる陳列用連結体（２）が収納され、上部が開口した筐体（３０）と、を備え、前記第２陳列部は、前記第１陳列部の上の少なくとも一部の範囲を前後方向に移動自在な陳列具（１）に関する。
【０００８】
第２の発明は、第１の発明に係る陳列具であって、前記第２陳列部は、前記第１傾斜板よりも前端側から後端側に向けて傾斜角が大きくなる。
【０００９】
第３の発明は、第１又は第２の発明に係る陳列具であって、前記第２陳列部は、前記第１陳列部の前後方向に水平に移動自在となるように前記第１陳列部の下端部と係合する係合部（２７）を有する。
【００１０】
第４の発明は、第３の発明に係る陳列具であって、前記第２陳列部は、前記第２傾斜板から前端側に延出した可動片（２１ａ）を有し、前記可動片は、前記第２陳列部が前記第１陳列部の上を移動した際に、前記第１傾斜板に対して変形する。
【００１１】
第５の発明は、第１から第４までのいずれかの発明に係る陳列具であって、前記筐体には、側面に前端側から後端側に向かう方向に沿って案内溝（３６ｂ）が設けられ、前記第２陳列部の側面には、前記案内溝と係合し、且つ前記案内溝に沿って移動自在な移動片（２６）が設けられる。
【００１２】
第６の発明は、第５の発明に係る陳列具であって、前記案内溝は、前記移動片の移動を規制する移動規制部（３６ｃ）を有する。
【００１３】
第７の発明は、第１から第６までのいずれかの発明に係る陳列具であって、前記筐体は、陳列された商品が前端から更に外側に移動することを規制する前面板（３１）を有する。
【００１４】
第８の発明は、第１から第７までのいずれかの発明に係る陳列具であって、前記筐体は、前記陳列用連結体を、幅方向に沿って複数列備える。
【００１５】
第９の発明は、第１から第７までのいずれかの発明に係る陳列具であって、前記筐体は、前記陳列用連結体を、幅方向に沿って１又は複数列備え、且つ上下方向に沿って複数段備える。
【発明の効果】
【００１６】
本発明によれば、商品を前側へ簡単に移動させることができ、且つ移動させた商品を立てた状態で陳列できる陳列具を提供することができる。
【図面の簡単な説明】
【００１７】
【図１】第１実施形態の陳列具１を示す斜視図である。
【図２】第１陳列部１０の斜視図である。
【図３】第２陳列部２０の斜視図である。
【図４】陳列用連結体２の斜視図である。
【図５】筐体３０の斜視図である。
【図６】陳列具１の使用方法を説明する図である。
【図７】陳列具１の使用方法を説明する図である。
【図８】第２実施形態の陳列具１Ａを示す斜視図である。
【図９】第３実施形態の陳列具１Ｂを示す斜視図である。
【発明を実施するための形態】
【００１８】
以下、本発明の実施形態について説明する。本明細書に添付した各図面は、いずれも模式図であり、理解しやすさを考慮して、各部の形状、縮尺、縦横の寸法比等を、実物から適宜に変更又は誇張している。本明細書中に記載する数値、形状、材料名等は、実施形態としての一例であり、これに限定されるものではなく、適宜に選択して使用してよい。また、各図面においては、部材の形状、輪郭を実線又は破線で表し、厚み部分の図示を省略している。
【００１９】
各実施形態では、図面にＸＹＺの直交座標系を記載した。この座標系は、陳列具１を正面から見たときの幅方向をＸ方向、前後方向をＹ方向、上下方向をＺ方向とする。幅方向（Ｘ方向）においては、図中の右方向をＸ１方向とし、左方向をＸ２方向とする。前後方向（Ｙ方向）においては、図中の前又は前端方向をＹ１方向とし、後又は後端方向をＹ２方向とする。上下方向（Ｚ方向）においては、図中の上方向をＺ１方向とし、下方向をＺ２方向とする。なお、本明細書においては、「方向」を適宜に「側」ともいう。
【００２０】
（第１実施形態）
図１は、第１実施形態の陳列具１を示す斜視図である。図２は、第１陳列部１０の斜視図である。図３は、第２陳列部２０の斜視図である。図４は、陳列用連結体２の斜視図である。図５は、筐体３０の斜視図である。
図１に示すように、第１実施形態の陳列具１は、第１陳列部１０と、第２陳列部２０と、筐体３０と、を備える。このうち、第１陳列部１０及び第２陳列部２０は、陳列用連結体２を構成する。
図１に示す陳列具１は、例えば、一回分のシャンプーが封入された小分けパック（商品）が陳列される簡易的な販売用ケースとして構成される。なお、陳列具１に陳列される商品は、シャンプーに限らず、例えば、入浴剤、洗剤、化粧品、芳香剤、レトルト食品等を封入したパックのように、陳列可能であればどのような商品であってもよい。
【００２１】
＜第１陳列部１０＞
第１陳列部１０は、陳列用連結体２のベースとなる部分である。
図２に示すように、第１陳列部１０は、第１傾斜板１１、背面板１２、底面板１３、右側面板１４及び左側面板１５により構成される。
第１傾斜板１１は、前端側（Ｙ１側）から後端側（Ｙ２側）に向けて上方に傾斜する板材であり、第１陳列部１０の上側（Ｚ１側）に設けられる。
第１傾斜板１１が傾斜することにより、陳列具１において商品を載せる部分全体が傾斜するため、商品が前方向（Ｙ１方向）へ移動し易くなる。この構成により商品の視認性が高まるため、訴求力が向上する。第１傾斜板１１の傾斜角は、底面板１３（後述）を水平面とした場合に、その水平面に対して、例えば、５〜１０°程度である。
【００２２】
背面板１２は、第１陳列部１０の後端側（Ｙ２側）に設けられる板材である。底面板１３は、第１陳列部１０の下側（Ｚ２側）に設けられる板材である。右側面板１４は、第１陳列部１０の右側（Ｘ１側）に設けられる板材である。左側面板１５は、第１陳列部１０の左側（Ｘ２側）に設けられる板材である。右側面板１４及び左側面板１５は、直角三角形となる形状を有する。
【００２３】
第１陳列部１０は、右側面板１４の下側（Ｚ２側）に第１スリット１６を備える。第１スリット１６は、第１陳列部１０の前後方向（Ｙ方向）に沿って長さＬ１、上下方向（Ｚ方向）に高さＷ１を有する細長い開口である。第１スリット１６には、第２陳列部２０の第１係合部２５（後述）が挿入される。第１スリット１６に挿入された第１係合部２５は、第１スリット１６の長さＬ１の範囲で第１陳列部１０の前後方向（Ｙ方向）に沿って移動できる。また、第１スリット１６に挿入された第１係合部２５は、第１スリット１６の高さＷ１の範囲で第１陳列部１０の上下方向（Ｚ方向）に持ち上げることができる。
【００２４】
第１陳列部１０は、左側面板１５の下側（Ｚ２側）に第２スリット１７を備える。第２スリット１７は、第１陳列部１０の前後方向（Ｙ方向）に沿って長さＬ２、上下方向（Ｚ方向）に高さＷ２を有する細長い開口である。第２スリット１７には、第２陳列部２０の第２係合部２７（後述）が挿入される。第２スリット１７に挿入された第２係合部２７は、第２スリット１７の長さＬ２の範囲で第１陳列部１０の前後方向（Ｙ方向）に沿って移動できる。第２スリット１７の長さＬ２は、少なくとも第１スリット１６の長さＬ１と同じであればよい。
【００２５】
第２スリット１７の高さＷ２は、第２係合部２７を挿入可能な程度（例えば、第２係合部２７の厚さと同じ間隔）とすることが望ましい。第２スリット１７に挿入された第２係合部２７を前後方向（Ｙ方向）に移動させた際に、第２陳列部２０の左側（Ｘ２側）が上方向（Ｚ１方向）に持ち上がることを抑制するためである。例えば、第１陳列部１０をプラスチックの薄い板材で作製した場合、第２スリット１７の高さＷ２を、実質的にゼロとしてもよい。この場合、第２スリット１７に第２陳列部２０の第２係合部２７を差し入れたときに、第２スリット１７が撓んで僅かな隙間が出来るため、第２スリット１７の高さＷ２がゼロであっても、第２スリット１７に第２係合部２７を挿入できる。
【００２６】
第１陳列部１０を構成する板材としては、例えば、ポリエチレンテレフタレート（ＰＥＴ）を用いることができる。また、これ以外にも、例えば、ポリプロピレン（ＰＰ）、ポリエチレン（ＰＥ）、ポリスチレン（ＰＳ）等のプラスチック材を用いることができる。これらのプラスチック材は、表面の摩擦抵抗が比較的小さいため、第１陳列部１０の上に載せられた商品を、よりスムーズに前側に移動させることができる。また、第１陳列部１０を構成する板材は、組み立てが容易となるように薄くすることが望ましい。一方、第１陳列部１０を構成する板材は、商品を陳列しても形状が維持できるようにするため、ある程度の厚さが必要となる。第１陳列部１０を上記のようなプラスチックの板材で作製した場合、組み立てが容易で且つ適度な剛性が得られる厚みとして、例えば、０．５ｍｍ程度が挙げられる。
第１陳列部１０は、所定の形状に裁断された一枚の板材を折り畳んで作製してもよいし、各部の形状に合わせて裁断された複数の板材を接着剤で貼り合わせることにより作製してもよい。
【００２７】
＜第２陳列部２０＞
第２陳列部２０は、図１に示すように、第１陳列部１０の上側（Ｚ１側）に載せられ、陳列具１の前後方向（Ｙ方向）に沿って移動する部分である。
図３に示すように、第２陳列部２０は、第２傾斜板２１、背面板２２、右側面板２３及び左側面板２４により構成される。
【００２８】
第２傾斜板２１は、前端側（Ｙ１側）から後端側（Ｙ２側）に向けて上方に傾斜する板材であり、第２陳列部２０の上側（Ｚ１側）に設けられる。第２傾斜板２１の傾斜角は、第１傾斜板１１（第１陳列部１０）の傾斜角よりも大きく設定されることが望ましい。第２傾斜板２１の傾斜角は、第１陳列部１０の底面板１３を水平面とした場合に、その水平面に対して、例えば、３０〜４０°程度である。第２傾斜板２１の傾斜角を、第１傾斜板１１の傾斜角よりも大きくすることにより、第２陳列部２０を前端側（Ｙ１側）に移動させた場合に、商品の背面を第２傾斜板２１で支えることができる。そのため、前端側に移動させた第２陳列部２０の第２傾斜板２１により、商品を立てた状態で陳列できる。
【００２９】
背面板２２は、第２陳列部２０の後端側に設けられる板材である。背面板２２の上下方向（Ｚ方向）の高さＬ３は、右側面板２３及び左側面板２４（後述）の上下方向の高さＬ４のおよそ１／２程度である。第２陳列部２０は、背面板２２の下側（Ｚ２側）に空間があるため、図４に示すように、第１陳列部１０の後端側と干渉することなく、第２陳列部２０を第１陳列部１０の後端側に載せることができる。
【００３０】
右側面板２３は、第２陳列部２０の右側（Ｘ１側）に設けられる板材である。右側面板２３には、後述する第１係合部２５及び移動片２６が設けられている。左側面板２４は、第２陳列部２０の左側（Ｘ２側）に設けられる板材である。左側面板２４には、後述する第２係合部２７が設けられている。右側面板２３及び左側面板２４は、略三角形となる形状を有する。
第２陳列部２０には、第１陳列部１０の底面板１３に相当する部材が設けられていないため、下側（Ｚ２側）は、開放されている。そのため、第２陳列部２０は、第１陳列部１０の上に載せられた状態で、第１傾斜板１１（第１陳列部１０）とほぼ接触することなしに、第１陳列部１０の上を移動できる。
【００３１】
第２陳列部２０は、第１陳列部１０と同じ材料により作製してもよいし、異なる材料で作製してもよい。第１陳列部１０と第２陳列部２０とを同じ材料で作製することにより、材料のコストを低減できる。
また、第２陳列部２０は、所定の形状に裁断された一枚の板材を折り畳んで作製してもよいし、各部の形状に合わせて裁断された複数の板材を接着剤で貼り合わせることにより作製してもよい。
【００３２】
次に、第２陳列部２０の各部の構成について更に詳細に説明する。
図３に示すように、第２傾斜板２１は、前端側（Ｙ１側）に突出した可動片２１ａを備える。可動片２１ａは、第２陳列部２０を第１陳列部１０の上で移動させた際に、第１傾斜板１１（第１陳列部１０）に対して変形する。具体的には、第２陳列部２０を第１陳列部１０の上で後端側（Ｙ２側）に移動させると、可動片２１ａは、第１傾斜板１１に押されて上方向（Ｚ１方向）に変形する。
【００３３】
第２傾斜板２１の前端側に可動片２１ａを設けないと、第２陳列部２０を第１陳列部１０の上で前端側（Ｙ１側）から後端側（Ｙ２側）に移動させたときに、第２傾斜板２１の前端部分が第１傾斜板１１に突き当たるため、第２陳列部２０を後端側まで移動させることができなくなる。しかし、第２傾斜板２１の前端側に可動片２１ａを設けると、図４に示すように、第２陳列部２０を第１陳列部１０の上で後端側（Ｙ２側）に移動させたときに、第２傾斜板２１の可動片２１ａが第１傾斜板１１に押されて上方向に変形するため、第２陳列部２０を後端側までスムーズに移動させることができる。第２陳列部２０においては、実質的に可動片２１ａのみが第１傾斜板１１（第１陳列部１０）と接触する。
【００３４】
第２傾斜板２１の前側（Ｙ１側）には、切れ込みＳが設けられている。この切れ込みＳにより、可動片２１ａは、切れ込みＳの部分で右側面板２３及び左側面板２４と接続していないため、上下方向（Ｚ方向）に変形可能となる。好ましくは、切れ込みＳの長さは、第２傾斜板２１において、前側（Ｙ１側）からおよそ１／３〜１／２の範囲であるが、第１陳列部１０の長さや角度により、適宜変更することもできる。
なお、本実施形態の可動片２１ａは、第２傾斜板２１と一体に形成されているが、可動片２１ａは、第２傾斜板２１と別体に作製してもよい。その場合、可動片２１ａを接着剤等により第２傾斜板２１の前端側に接合すればよい。
【００３５】
右側面板２３は、下側（Ｚ２側）の端部に第１係合部２５を備える。第１係合部２５は、図４に示すように、第２陳列部２０を第１陳列部１０と組み合わせて陳列用連結体２とした場合に、第１陳列部１０の第１スリット１６と係合する部分である。第１係合部２５は、Ｘ−Ｚ平面での断面が凹形状に形成されている。第１係合部２５を第１陳列部１０の第１スリット１６に係合させることにより、図４に示すように、第２陳列部２０の第１係合部２５側を、第１スリット１６の高さＷ１の範囲で上方向（Ｚ１方向）に持ち上げることができる。また、第２陳列部２０を持ち上げても、第１係合部２５は、第１スリット１６と係合した状態が維持されるので、第２陳列部２０が第１スリット１６から外れることはない。
【００３６】
右側面板２３は、後端側（Ｙ２側）に移動片２６を備える。移動片２６は、筐体３０に設けられた案内部３６（後述）と係合する部分である。移動片２６は、案内部３６と係合した状態で、案内溝３６ｂ（後述）に沿って移動できる。
本実施形態の移動片２６は、右側面板２３の一部に逆Ｕ字形の切り目を入れ、その部分をＸ１側に引き出すことにより形成される。
【００３７】
移動片２６を下側（Ｚ２側）に折り返すと、移動片２６は、右側面板２３の外側への突出が少なくなるため、陳列用連結体２を容易に筐体３０に収納できる。また、陳列用連結体２を筐体３０に収納した後、筐体３０の案内部３６から移動片２６をＸ１側に引き出すことにより、移動片２６を筐体３０の外側に突出させることができる。後述するように、販売者は、筐体３０（案内部３６）から突出した移動片２６を指で掴むことにより、第２陳列部２０を前後方向（Ｙ方向）に移動させることができる。なお、移動片２６は、上記のような構成に限らず、例えば、同じ形状の部品を別体で作製し、この部品を右側面板２３に接着剤で接合する構成としてもよい。
【００３８】
左側面板２４は、下側（Ｚ２側）の端部に第２係合部２７を備える。第２係合部２７は、図４に示すように、第２陳列部２０を第１陳列部１０と組み合わせて陳列用連結体２とした場合に、第１陳列部１０の第２スリット１７と係合する部分である。第２係合部２７は、Ｘ−Ｚ平面での断面がＬ字形となるように作製されている。第２係合部２７を第１陳列部１０の第２スリット１７に係合させることにより、第２陳列部２０を、第１陳列部１０の後端側から前端側に向かう方向に水平に移動させることができる。前述したように、第１陳列部１０の第２スリット１７の高さＷ２は、第２係合部２７を挿入可能な程度であるため、第２スリット１７に挿入された第２係合部２７を前後方向（Ｙ方向）に移動させた場合に、第２陳列部２０の左側（Ｘ２側）が上方向（Ｚ１方向）に持ち上がることを抑制できる。このように、第１陳列部１０の第２スリット１７に、第２陳列部２０の第２係合部２７を係合させることにより、第２陳列部２０を、前後方向（Ｙ方向）に水平に移動させることができる。
【００３９】
＜筐体３０＞
筐体３０は、第１陳列部１０及び第２陳列部２０からなる陳列用連結体２が収納されるケースである。
図５に示すように、筐体３０は、前面板３１、底面板３２、背面板３３、右側面板３４及び左側面板３５により構成される。
前面板３１は、筐体３０の前端側（Ｙ１側）に設けられる板材である。前面板３１は、陳列具１に陳列された商品が筐体３０の前端（Ｙ１側の端）から更に外側、すなわち前側に移動することを規制する部材である。前面板３１の上下方向（Ｚ方向）の高さは、最も前側に陳列されている商品の訴求面を覆うことなく、且つその商品が筐体３０から更に前側に移動しない程度とすることが望ましい。
【００４０】
底面板３２は、筐体３０の下側（Ｚ２側）に設けられる部材である。背面板３３は、筐体３０の後端側（Ｙ２側）に設けられる部材である。背面板３３の上下方向（Ｚ方向）の高さは、筐体３０に陳列用連結体２を収納した状態で、陳列用連結体２（第２陳列部２０）の上端部分と同程度とすることが望ましい。
右側面板３４は、筐体３０の右側（Ｘ１側）に設けられる板材である。左側面板３５は、筐体３０の左側（Ｘ２側）に設けられる板材である。右側面板３４及び左側面板３５の上端部分は、前端側から後端側に向けて上方に傾斜している。筐体３０は、上記各部により、陳列された複数の商品が露出するように上側（Ｚ１側）に開放面を有する箱枠形に形成されている。
【００４１】
右側面板３４は、案内部３６を備える。案内部３６は、陳列用連結体２を筐体３０に収納した状態で、第２陳列部２０の移動片２６が係合する部分である。案内部３６は、移動片出し入れ部３６ａ、案内溝３６ｂ及び移動規制部３６ｃを備える。
移動片出し入れ部３６ａは、案内溝３６ｂの後側（Ｙ２側）に設けられた略Ｕ字形の切り欠きである。販売者は、陳列用連結体２を筐体３０に収納した状態で、第２陳列部２０の移動片２６を筐体３０の外側（Ｘ１側）に突出させたり、下側（Ｚ２側）の側に折り返したりできる。移動片出し入れ部３６ａは、移動片２６を折り返したり、引き出したりできるように、移動片２６と相似形に形成され、且つ移動片２６よりも僅かに大きく形成されている。
【００４２】
前述したように、移動片２６を下側に折り返して、外側への突出を少なくすれば、陳列用連結体２を容易に筐体３０に収納できる。また、陳列用連結体２を筐体３０に収納した後、筐体３０の案内部３６（移動片出し入れ部３６ａ）から移動片２６を上側（Ｚ１側）に引き出せば、移動片２６を筐体３０の外側に突出させることができる。更に、移動片２６を下側に折り返して、右側面板２３の外側への突出を少なくすれば、陳列用連結体２を容易に筐体３０から取り出すことができる。
【００４３】
案内溝３６ｂは、筐体３０の前端側（Ｙ１側）から後端側（Ｙ２側）に向かう方向に沿って設けられた細長いスリットである。販売者は、移動片出し入れ部３６ａから突出した移動片２６を掴むことにより、第２陳列部２０を案内溝３６ｂに沿って前後方向（Ｙ方向）に移動させることができる。案内溝３６ｂの水平方向（Ｙ方向）の長さは、第２陳列部２０の移動量に応じて設定される。
【００４４】
移動規制部３６ｃは、案内溝３６ｂの前端（Ｙ１側の端）に設けられた凹形状の切り欠きである。販売者は、移動片２６を案内溝３６ｂの前端（Ｙ１側の端）まで移動させて、下方（Ｚ２側）に押し込むことにより、移動片２６を移動規制部３６ｃに係合させることができる。移動片２６を移動規制部３６ｃと係合させることにより、移動片２６の前後方向（Ｙ方向）への移動が規制される。これによれば、第２陳列部２０を筐体３０の前端側に移動させた状態において、自重で後ろ向き（Ｙ２方向）倒れようとする商品を、第２陳列部２０で支えることができる。このように、案内溝３６ｂの前端まで移動させた移動片２６を移動規制部３６ｃと係合させて、第２陳列部２０の位置を固定することにより、商品が後ろ向き倒れることが抑制されるため、商品を立てた状態で陳列できる。なお、移動規制部３６ｃと係合させた移動片２６は、外側への突出を少なくするため、下側（Ｚ２側）に折り返しておくことが望ましい。
【００４５】
また、販売者は、移動片２６を移動規制部３６ｃと係合させた状態において、移動片２６を上方（Ｚ１側）に押し上げることにより、移動片２６と移動規制部３６ｃとの係合を解除できる。この状態で、販売者は、移動片２６を案内溝３６ｂの後端（Ｙ２側の端）まで移動させることにより、移動片２６を移動前の位置（移動片出し入れ部３６ａ）に復帰させることができる。
【００４６】
筐体３０は、陳列用連結体２に多数の商品が載せられるため、第１陳列部１０及び第２陳列部２０よりも剛性の高い材料で作製することが望ましい。筐体３０として使用可能な材料としては、例えば、各種の紙材、プラスチック材等が挙げられる。これらの材料は、それぞれ単独で使用してもよいが、例えば、紙同士の複合体、紙とプラスチックとの複合体等、任意の組み合わせによる積層体でもよい。
また、筐体３０は、所定の形状に裁断された一枚の板材を折り畳んで作製してもよいし、各部の形状に合わせて裁断された複数の板材を接着剤で貼り合わせることにより作製してもよい。
【００４７】
＜陳列具１の使用方法＞
次に、上記のように構成された陳列具１の使用方法について説明する。
図６及び図７は、陳列具１の使用方法を説明する図である。図６は、陳列用連結体２の前端側から後端側までの間に商品１００を載せた状態を示している。図７は、陳列用連結体２の前端側に商品１００を移動させた状態を示している。なお、図６及び図７の各図においては、使用方法の説明に必要な部分にのみ符号を付けている。
【００４８】
陳列具１に商品１００を陳列させる場合、図１に示すように、第２陳列部２０を後端（Ｙ２側の端）に移動させることにより、陳列具１の前端側から後端側までの間に、商品１００を載せるスペースを確保できる。このスペースに商品１００を隙間なく載せることにより、図６に示すように、前端側から後端側までの間に、すべての商品１００を立てた状態で陳列できる。このうち、陳列具１の後端側に陳列された商品１００は、第１陳列部１０よりも傾斜角の大きな第２陳列部２０（図１参照）の上に載せられるため、第１陳列部１０の上に載せられた商品１００に比べて、より上側（Ｚ１側）に持ち上げられる。これによれば、後端側の商品１００が前端側の商品１００により遮られないため、消費者は、陳列具１の前端側から後端側に陳列されたすべての商品１００を視認できる。
【００４９】
図６に示す状態から、消費者が商品１００を前側（Ｙ１側）から取り出すと、後側の商品１００が不図示の傾斜板（１１、２１）を滑り下りて前側に移動する。消費者が商品１００を取り出すことによって、商品数が少なくなると、後側（Ｙ２側）に残った商品１００は、自重で後ろ向きに倒れやすくなる。商品１００が後ろ向きに倒れると、陳列具１を前側から見たときに商品１００が目立ちにくくなる。また、前側の商品１００がなくなると、消費者が後側の商品１００を手に取りにくくなる。
【００５０】
そのため、販売者は、商品１００が全体の１／３〜１／２程度まで少なくなった時点で、移動片２６を指で掴み、第２陳列部２０を前端側（Ｙ１側）に移動させる。その際、販売者は、Ｘ１側に引き出した移動片２６を上方向（Ｚ１方向）に持ち上げ、移動片２６の根本部分を案内溝３６ｂと係合させた状態で、第２陳列部２０を前端側の移動規制部３６ｃの位置まで移動させる。そして、移動片２６を下方向（Ｚ２方向）に押し下げて、移動規制部３６ｃと係合させる。これにより、第２陳列部２０の位置を前端側に固定できる。
【００５１】
この結果、図７に示すように、前端側に移動してきた商品１００の背面が、第１陳列部１０よりも傾斜角の大きな第２陳列部２０（第２傾斜板２１）で支えられるため、残りの商品１００を立てた状態で陳列できる。また、販売者は、すべての商品１００が売れた時点で、移動片２６を指で掴み、第２陳列部２０を前端側（Ｙ１側）に移動させる。これにより、陳列具１において、陳列用連結体２の前端側から後端側までの間に、再び商品１００を載せるスペースを確保できる。
【００５２】
上述した第１実施形態の陳列具１によれば、例えば、以下のような効果を奏する。
第１実施形態の陳列具１によれば、商品数が少なくなった場合に、第２陳列部２０を前端側に移動させることにより、販売者は、後側に残った商品１００を一つ一つ移動させることなく、まとめて前側に移動させることができる。また、前側に移動させた商品１００は、第１陳列部１０よりも傾斜角の大きな第２陳列部２０（第２傾斜板２１）で支えられるため、商品数が少ない場合でも、移動させた商品１００を立てた状態で陳列できる。
【００５３】
第１実施形態の陳列具１によれば、第２陳列部２０の第２係合部２７を第１陳列部１０の第２スリット１７と係合させることにより、第２陳列部２０を第１陳列部１０の後端側から前端側に向かう方向に水平に移動させることができる。そのため、商品数が少なくなった場合に、第２陳列部２０の上に載った商品１００の姿勢を保ったまま前端側に移動させることができる。これによれば、販売者が後端側に残った商品１００を前端側に移動させた際に、第２陳列部２０の上に載っている商品１００が上下左右に揺れることが抑制されるため、販売者が前端側に移動させた商品１００の並べ替えに要する手間を低減できる。
【００５４】
第１実施形態の陳列具１において、第２陳列部２０の第２傾斜板２１は、前端側に突出した可動片２１ａを備える。これによれば、第２陳列部２０を第１陳列部１０の上で後端側に移動させたときに、第２傾斜板２１の可動片２１ａが第１傾斜板１１に突き当たることなく上方向に変形するため、第２陳列部２０を前端側から後端側までスムーズに移動させることができる。
【００５５】
第１実施形態の陳列具１において、筐体３０は、前端側から後端側に向かう方向に沿って案内溝３６ｂ（案内部３６）を備える。また、第２陳列部２０は、筐体３０の案内溝３６ｂと係合する移動片２６を備える。そのため、販売者は、筐体３０の案内溝３６ｂと係合した移動片２６を指で掴み、案内溝３６ｂが形成された方向に沿って動かすことにより、第２陳列部２０を前後方向に移動させることができる。したがって、販売者は、第２陳列部２０を直に掴んで引き出したり、押し込んだりすることなしに第２陳列部２０を移動させることができる。また、移動片２６は、案内部３６（案内溝３６ｂ）の範囲内でのみ移動可能となるため、移動片２６を案内部３６の範囲を超えて移動させることにより、第２陳列部２０が変形したり、破損したりする不具合を抑制できる。
【００５６】
第１実施形態の陳列具１において、案内部３６は、移動規制部３６ｃを備える。そのため、販売者は、筐体３０の前端側に移動させた移動片２６を移動規制部３６ｃと係合させることにより、第２陳列部２０の位置を固定できる。これによれば、筐体３０の前端側に移動させた商品１００が後ろ向き倒れることが抑制されるため、商品数が少ない場合でも、商品１００を立てた状態をより確実に維持できる。
【００５７】
第１実施形態の陳列具１において、筐体３０は、前端側に前面板３１を備えるため、陳列されている商品１００が筐体３０の前端から更に外側（前側）に移動することが規制される。これによれば、販売者は、筐体３０の前端から商品１００が外側に倒れることを配慮することなしに、陳列具１により多くの商品１００を陳列できる。
【００５８】
（第２実施形態）
次に、本発明に係る陳列具の第２実施形態について説明する。
第２実施形態の説明及び図面において、第１実施形態と同等の部材等には、第１実施形態と同一の符号を付し、重複する説明を省略する。
図８は、第２実施形態の陳列具１Ａを示す斜視図である。
図８に示すように、第２実施形態の陳列具１Ａは、幅方向（Ｘ方向）に陳列用連結体２が２列設けられている。各列における陳列用連結体２の構成は、第１実施形態と実質的に同じである。第２実施形態の筐体３０Ａは、２列の陳列用連結体２の間に仕切り板３７を備える。仕切り板３７は、２列の陳列用連結体２において、共通の側面板（右側面板３４又は左側面板３５）となる。第２実施形態の陳列具１Ａにおいて、２列の陳列用連結体２は、仕切り板３７を中心として、左右対称に形成される。そのため、左側（Ｘ２側）に配置される陳列用連結体２において、移動片２６（不図示）は、筐体３０Ａの左側に突出する。
【００５９】
第２実施形態の陳列具１Ａによれば、各列の陳列用連結体２にそれぞれ異なる種類の商品を陳列できる。また、各列の陳列用連結体２において、第２陳列部２０を独立して移動させることができる。そのため、販売者は、各列の商品数に応じて個別に第２陳列部２０を移動させることにより、陳列具１Ａにおける商品の陳列状態を最適化できる。
また、第２実施形態の陳列具１Ａは、２つの陳列用連結体２が１つの筐体３０Ａに収納されているため、第１実施形態の陳列具１を幅方向（Ｘ方向）に２つ並べるよりも、各陳列用連結体２を安定して保持できる。
【００６０】
（第３実施形態）
次に、本発明に係る陳列具の第３実施形態について説明する。
第３実施形態の説明及び図面において、第１実施形態と同等の部材等には、第１実施形態と同一の符号を付し、重複する説明を省略する。
図９は、第３実施形態の陳列具１Ｂを示す斜視図である。
【００６１】
図９に示すように、第３実施形態の陳列具１Ｂは、上下方向（Ｚ方向）に陳列用連結体２が２段設けられている。各段における陳列用連結体２の構成は、第１実施形態と実質的に同じである。第３実施形態の筐体３０Ｂは、第１実施形態の筐体３０を上下方向に２段並べ、その間を４本の支持部３８により連結した構造を有する。第３実施形態の筐体３０Ｂにおいて、上段の陳列用連結体２と下段の陳列用連結体２との間隔は、主に下段の陳列用連結体２に陳列される商品の高さに応じて設定される。
【００６２】
また、図示していないが、第３実施形態の陳列具１Ｂにおいて、上側（Ｚ１側）に配置した陳列用連結体２の下に、底面板３２を支えるブリッジ形の補強部材を設けてもよい。このような補強部材を設けることにより、上側の陳列用連結体２に陳列した商品の重みにより筐体３０Ｂが変形したり、破損したりする不具合を抑制できる。
【００６３】
以上、本発明の実施形態について説明したが、本発明は、前述した実施形態に限定されるものではなく、後述する変形形態のように種々の変形や変更が可能であって、それらも本発明の技術的範囲内に含まれる。また、実施形態に記載した効果は、本発明から生じる最も好適な効果を列挙したに過ぎず、実施形態に記載したものに限定されない。なお、上述の実施形態及び後述する変形形態は、適宜に組み合わせて用いることもできるが、詳細な説明は省略する。
【００６４】
（変形形態）
第１実施形態の陳列具１において、第１陳列部１０、第２陳列部２０及び筐体３０は、透明であってもよいし、着色されていてもよい。また、材料が無色（無彩色）であれば、その色をそのまま使用してもよい。例えば、第１陳列部１０及び第２陳列部２０を透明とし、筐体３０を白色としてもよい。第１陳列部１０及び第２陳列部２０が透明であれば、第１陳列部１０と第２陳列部２０との係合状態を容易に確認できる。また、筐体３０が着色されていれば、内部の陳列用連結体２を外側から視認されにくくなるうえ、外側の面（例えば、前面板３１等）を訴求面として商品情報を書き込むこともできる。
【００６５】
第１実施形態において、移動片２６及び案内部３６は、陳列具１の左側（Ｘ２側）に設けられていてもよい。移動片２６及び案内部３６を陳列具１のいずれかの側に設ける構成とした場合、販売者は、一方の側から第２陳列部２０を移動させることができるので、操作を簡便に行うことができる。また、移動片２６及び案内部３６は、陳列具１の右側（Ｘ１側）と左側（Ｘ２側）の両方に設けられていてもよい。移動片２６及び案内部３６を陳列具１の両側に設ける構成とした場合、第２陳列部２０の移動時に第２陳列部２０が捩じれたり、撓んだりしにくくなる。そのため、販売者は、第２陳列部２０をよりスムーズに移動させることができる。
上記変形形態は、第２及び第３実施形態にも共通する。
【００６６】
第１実施形態の陳列具１において、案内部３６の移動規制部３６ｃを、案内溝３６ｂの前端（Ｙ１側の端）に設けるだけでなく、案内溝３６ｂの途中に設けてもよい。このように、移動規制部３６ｃを案内溝３６ｂの途中に設けることにより、商品数に応じて、第２陳列部２０の位置をより細かく調節できる。また、移動片２６の位置を固定する形態は、移動規制部３６ｃに限定されない。例えば、移動片２６の先端を、右側面板３４に設けたスリットに挿入する形態としてもよい。
【００６７】
第２実施形態の陳列具１Ａにおいて、幅方向（Ｘ方向）に陳列用連結体２を３列備えた構成としてもよい。その場合、中央に位置する陳列用連結体２の第２陳列部２０には移動片２６を設けずに、販売者が中央の第２陳列部２０を直に掴んで引き出したり、押し込んだりすることにより、第２陳列部２０を移動できる。また、隣接する２つの陳列用連結体２のいずれかを共通化し、右側（Ｘ１側）又は左側（Ｘ２側）に位置する陳列用連結体２の移動片２６により、２列の陳列用連結体２を同時に移動させる構成としてもよい。２つの陳列用連結体２を共通化するとは、１つの陳列用連結体２の幅を２列分に広げることをいう。また、陳列用連結体２を４列以上備えた構成とすることもできるが、陳列用連結体２を２列又は３列備えた陳列具１Ａを複数並べるようにしてもよい。
【００６８】
第３実施形態の陳列具１Ｂにおいて、第２実施形態のように、幅方向（Ｘ方向）に陳列用連結体２を２列設けた構成としてもよいし、上記変形形態のように、陳列用連結体２を３列又は４列以上設けた構成としてもよい。
また、幅方向に陳列用連結体２を１列又は複数列設け、これを上下方向に３段以上設けた構成としてもよい。
更に、第３実施形態の陳列具１において、支持部３８を設ける代わりに、筐体３０Ｂの右側（Ｘ１側）、左側（Ｘ２側）及び後側（Ｙ２側）を板材で囲むような構成としてもよい。
【符号の説明】
【００６９】
１，１Ａ，１Ｂ    陳列具
２    陳列用連結体
１０    第１連結部
１１    第１傾斜板
２０    第２連結部
２１    第２傾斜板
２１ａ    可動片
２５    第１係合部
２６    移動片
２７    第２係合部
３０，３０Ａ，３０Ｂ    筐体
３１    前面板
３６    案内部
３６ａ    移動片出し入れ部
３６ｂ    案内溝
３６ｃ    移動規制部
【図１】
2020054453.tif 000003
【図２】
2020054453.tif 000004
【図３】
2020054453.tif 000005
【図４】
2020054453.tif 000006
【図５】
2020054453.tif 000007
【図６】
2020054453.tif 000008
【図７】
2020054453.tif 000009
【図８】
2020054453.tif 000010
【図９】
2020054453.tif 000011